(57)【要約】  本発明は、光源１００からの可視光２０を導くための補償型導光体１０に関する。前記導光体は、第１の光路１ＯＰに沿って前記光源からの光が導かれる第１の伝送領域１ＴＲと、第２の光路２ＯＰに沿って前記光源からの光が導かれる第２の伝送領域２ＴＲと、を持つ。前記第２の光路に沿って導かれる光は、前記第１の光路に沿って導かれる光に比べて、第１のサブバンドにおいて大きな吸収を持ち、前記第１の光路と前記第２の光路との間の吸収の差に帰着する。第１の伝送領域１ＴＲ及び第２の伝送領域２ＴＲは、前記第１のスペクトル分布の第２のサブバンドを相対的に低下させるように光を伝送するように、光学的に配置される。第１の伝送領域１ＴＲと第２の伝送領域２ＴＲとの間の相対的な低下は、導光体１０における吸収の差を心理視覚的に補償するように均衡したものとされ、観測者２００により知覚されるときに、光源１０から発せられる均一な色に帰着する。
2010511987.tif 000002
【特許請求の範囲】
【請求項１】
関連する光源から発せられた可視光を導き、略均一な色を発するための補償型導光体であって、前記関連する光源は、第１のスペクトル分布の可視光を発することが可能であり、前記導光体は、可視光に対して略色に依存した吸収を持ち、前記導光体は、
第１の光路に沿って前記光源から導かれた光が前記導光体から送出される、第１の伝送領域と、
第２の光路に沿って前記光源から導かれた光が前記導光体から送出される、第２の伝送領域と、
を有し、前記第２の光路に沿って導かれる光は、前記第１の光路に沿って導かれる光に比べて、少なくとも前記第１のスペクトル分布の第１のサブバンドにおいて、大きな吸収を持ち、前記第１の光路と前記第２の光路との間の吸収の差に帰着し、
前記第１のスペクトル分布の第２のサブバンドを相対的に低下させ、前記第１の伝送領域と前記第２の伝送領域との間の相対的な低下が、前記導光体における吸収の差を、少なくとも色に関して、心理視覚的に補償するように均衡したものとなるように光を伝送するように、前記第１及び第２の伝送領域が光学的に配置された、補償型導光体。
【請求項２】
前記第１の伝送領域と前記第２の伝送領域との間の相対的な低下は、外部の観測者が、前記第１及び第２の伝送領域から知覚される略等しい色を体験するように均衡したものとされる、請求項１に記載の補償型導光体。
【請求項３】
前記第１及び第２の伝送領域は更に、前記第１のスペクトル分布の第３のサブバンドを相対的に低下させるように光を伝送するように光学的に配置され、前記第３のサブバンドは前記第２のサブバンドとは異なるものであり、前記第１の伝送領域と前記第２の伝送領域との間の前記第３のサブバンドの相対的な低下は、前記導光体における吸収の差を、少なくとも色に関して、心理視覚的に補償するように均衡したものとされる、請求項１に記載の補償型導光体。
【請求項４】
前記第１及び第２の伝送領域は、複数の伝送領域のサブセットであり、前記複数の伝送領域は、前記第２のサブバンド及び／又は前記第３のサブバンドの段階的な相対的低下を提供し、前記段階的な相対的低下は、前記光源の各伝送領域に対するそれぞれの光路と均衡した、請求項１又は３に記載の補償型導光体。
【請求項５】
前記第１及び第２の伝送領域は、吸収により前記第１のスペクトル分布の前記第２のサブバンド及び／又は前記第３のサブバンドを相対的に低下させるように光学的に配置された、請求項１又は３に記載の補償型導光体。
【請求項６】
前記段階的な相対的低下は吸収性色素により提供され、前記色素は段階的なパターンで複数の遷移領域に配置される、請求項４又は５に記載の補償型導光体。
【請求項７】
前記第１及び第２の伝送領域は、反射により前記第１のスペクトル分布の前記第２のサブバンド及び／又は前記第３のサブバンドを低下させるように光学的に配置された、請求項１又は３に記載の補償型導光体。
【請求項８】
前記導光体はガラスから作成された、請求項１に記載の補償型導光体。
【請求項９】
請求項１に記載の補償型導光体と、
第１のスペクトル分布の可視光を発することが可能な光源と、
を有する、補償型照明システム。
【請求項１０】
前記第１及び第２の伝送領域は更に、前記第１のスペクトル分布の第１のサブバンドを相対的に低下させるように光学的に配置され、前記第１の伝送領域と前記第２の伝送領域との間の相対的な低下が、前記導光体における吸収の差を、少なくとも色に関して、心理視覚的に補償するように均衡したものとされる、請求項９に記載の補償型照明システム。
【請求項１１】
前記光源は、前記第１のスペクトル分布の前記第１のサブバンドの強度を増大させることにより、前記導光体における吸収の差を少なくとも部分的に補償するように構成された、請求項１０に記載の補償型照明システム。
【請求項１２】
前記光源は発光ダイオードを有する、請求項９乃至１１のいずれか一項に記載の補償型照明システム。
【請求項１３】
前記システムは、ディスプレイシステムの少なくとも一部の周囲に配置された、請求項９に記載の補償型照明システム。
【請求項１４】
導光体における吸収の差を補償するための方法であって、前記導光体は、光源から発せられた可視光を導き、略均一な色を発するように構成され、前記光源は、第１のスペクトル分布の可視光を発することが可能であり、前記導光体は、可視光に対して略色に依存した吸収を持ち、前記方法は、
第１の光路に沿って前記導光体から光が送出される、第１の伝送領域に光を導くステップと、
第２の光路に沿って前記導光体から光が送出される、第２の伝送領域に光を導くステップと、
を有し、前記第２の光路に沿って導かれる光は、前記第１の光路に沿って導かれる光に比べて、少なくとも前記第１のスペクトル分布の第１のサブバンドにおいて、大きな吸収を持ち、前記第１の光路と前記第２の光路との間の吸収の差に帰着し、前記方法は更に、
前記第１のスペクトル分布の第２のサブバンドを相対的に低下させることにより光を伝送し、前記第１の伝送領域と前記第２の伝送領域との間の相対的な低下が、前記導光体における吸収の差を、少なくとも色に関して、心理視覚的に補償するように均衡したものとなるように、前記第１及び第２の伝送領域を光学的に配置するステップを有する方法。
【発明の詳細な説明】
【技術分野】
【０００１】
本発明は、可視光を導くための補償型導光体であって、略均一な色を発するように光学的に構成された補償型導光体に関する。本発明はまた、光源と補償型導光体とを備えた照明システムに関する。更に、本発明は、導光体を通して光を導くための方法に関する。
【背景技術】
【０００２】
照明の分野における多くの実用的な用途のためには、大きな面積又は長さに亘って光が広げられる必要がある。このことは、照明されるべき領域から幾分かの距離に配置された集中光源（例えば白熱灯）によって、又は既に大きなサイズを持つ光源（ＴＬ管のような）を用いることによって、達成され得る。近年の発光ダイオード（ＬＥＤ）の進歩に伴い、集中光源の使用は恐らく著しく増大するであろう。ＬＥＤの特殊な特性のため、ＬＥＤは大きなサイズの光源を置き換えるために利用されることも予想され、それ故照明のために多くの新たな用途が出現するであろう。
【０００３】
遠い距離の位置に照明ユニットを配置する必要なく、集中光源の光を広げることを可能とする要望が増大することが予想される。また、多くの用途においては、照明システムの効率を増大させるため、また望ましくない光による混乱を低減するために、選択された領域又は方向に光を集中させることが好ましい。この目的のため、導光体が非常に適している。ＬＥＤの指向性の光、及び照明の間の限られた温度上昇は、ＬＥＤを導光体と組み合わせられるために理想的なものとしている。
【発明の概要】
【発明が解決しようとする課題】
【０００４】
特に光が導光体内の長い距離（例えば数メートル）を通過する必要がある場合には、高い透過性を持つ導光物質が必要とされる。光源に対して異なる光学的距離を持つ異なる位置で光が放出される（coupled out）場合には、この透過性は、可視光の帯域幅に亘って略均一である必要もある。このことは、多くの用途において受容可能ではない、異なる位置における色の差を回避するために必須である。
【０００５】
斯かる導光システムの一例は、テレビジョンシステムにおいて表示されている現在の内容に依存する周囲光を伴う、Philips社のAmbilight（登録商標）テレビジョンシステムのために開発されてきた、円筒形の導光設計である。現在、導光物質としてポリメチルメタクリレート（ＰＭＭＡ）が利用されている。なぜなら、該物質はこの用途のための透過性及び均一性要件を満たすからである。しかしながら、ＰＭＭＡは、テレビジョンシステムに関連する他の幾つかの欠点を持つ。種々の種類のガラスのような代替物質も見出され得るが、一般に利用されるガラスの透過性は典型的に、可視光の帯域幅に亘って十分に均一ではなく、色に対する均一性の望ましくない欠如をもたらす。
【０００６】
それ故、改善された導光体が有利となり得、とりわけ更に効率的な及び／又は信頼性の高い導光体が有利となり得る。
【０００７】
従って、本発明は好適には、上述した欠点の１つ以上を単独で又はいずれかの組み合わせで緩和、軽減又は除去することを目的とする。とりわけ、本発明の目的は、光源から発せられる光の均一な色付けを伴う、先行技術の上述した問題点を解決する導光体を提供することにある。
【課題を解決するための手段】
【０００８】
該目的及び他の幾つかの目的は、関連する光源から発せられた可視光を導き、略均一な色を発するための補償型導光体であって、前記関連する光源は、第１のスペクトル分布の可視光を発することが可能であり、前記導光体は、可視光に対して略色に依存した吸収を持ち、前記導光体は、
第１の光路に沿って前記光源から導かれた光が前記導光体から送出される、第１の伝送領域と、
第２の光路に沿って前記光源から導かれた光が前記導光体から送出される、第２の伝送領域と、
を有し、前記第２の光路に沿って導かれる光は、前記第１の光路に沿って導かれる光に比べて、少なくとも前記第１のスペクトル分布の第１のサブバンドにおいて、大きな吸収を持ち、前記第１の光路と前記第２の光路との間の吸収の差に帰着し、
前記第１のスペクトル分布の第２のサブバンドを相対的に低下させ、前記第１の伝送領域と前記第２の伝送領域との間の相対的な低下が、前記導光体における吸収の差を、少なくとも色に関して、心理視覚的に補償するように均衡したものとなるように光を伝送するように、前記第１及び第２の伝送領域が光学的に配置された、補償型導光体を提供することにより、本発明の第１の態様において達成される。
【０００９】
本発明は特に、限定するものではないが、光の種々の放出位置における吸収の差を補償することが可能な導光体を得るために有利である。このことは、第１のスペクトル分布の第２のサブバンドを相対的に低減させることにより達成され、それにより第１のサブバンドと第２のサブバンドとの間の心理視覚的なバランスを幾分再確立し、導光体からの改善された均一な色の知覚に帰着する。
【００１０】
本発明の導光体により提供される心理視覚的な補償に関しては、国際照明委員会（The International Commission on Illumination、通常フランス語の名称であるＣＩＥ、Commission internationale de l'eclairageとして知られる）の活動、とりわけ色知覚についての関連する規格に対して、参照が為される。一般に、ＣＩＥ１９３１又はＣＩＥ１９６４の標準観測者（standard observer）が、本発明の技術的な効果を評価するために利用される。従って、ＣＩＥ１９３１（1964年）においては、色マッチング関数が、三刺激値Ｘ、Ｙ及びＺが光のスペクトルからどのように導出され得るかを定義している。異なる人による色の知覚は異なるものとなり、上述の規格は比較的少ない人数の人間による実験に基づいたものであることは、留意されるべきである。しかしながら、同じ三刺激値を持つ光は、単に色を定義するための同じ光（同じ色及び明るさ）として知覚されることが仮定され、Ｘ、Ｙ及びＺから導出されたｘ及びｙが利用される。
【００１１】
加えて、前記第１の伝送領域と前記第２の伝送領域との間の相対的な低下は、外部の観測者が、前記第１及び第２の伝送領域から知覚される略等しい色を体験するように均衡したものとされても良い。かくして、例えば上述した適切な規格に従って、「観測者」の意見が定義される。
【００１２】
有利にも、前記第１及び第２の伝送領域は更に、前記第１のスペクトル分布の第３のサブバンドを相対的に低下させるように光を伝送するように光学的に配置されても良く、前記第３のサブバンドは前記第２のサブバンドとは異なるものであり、前記第１の伝送領域と前記第２の伝送領域との間の前記第３のサブバンドの相対的な低下は、前記導光体における吸収の差を、少なくとも色に関して、心理視覚的に補償するように均衡したものとされても良い。このことは典型的に、サブバンドが鋭く定義されておらず隣接するサブバンドとオーバラップし得る実際的な実装において成り立つ。
【００１３】
典型的には、前記第１及び第２の伝送領域は、複数の伝送領域のサブセットであっても良く、前記複数の伝送領域は、前記第２のサブバンド及び／又は前記第３のサブバンドの段階的な相対的低下を提供し、前記段階的な相対的低下は、前記光源の各伝送領域に対するそれぞれの光路と均衡したものであっても良い。長さに対してのみならず、２次元及び３次元のオブジェクトに対しても、このことは実装され得る。
【００１４】
一実施例においては、前記第１及び第２の伝送領域は、吸収により前記第１のスペクトル分布の前記第２のサブバンド及び／又は前記第３のサブバンドを相対的に低下させるように光学的に配置されても良い。このことは例えば、光の特定のサブバンド以外のものを全て吸収する色素により達成され得る。前記第２の及び／又は第３のサブバンドの段階的な相対的低下と合わせて、段階的なパターンで複数の遷移領域に配置される吸収性色素により、段階的な相対的低下が提供されても良い。
【００１５】
他の実施例においては、前記第１及び第２の伝送領域は、反射により前記第１のスペクトル分布の前記第２のサブバンド及び／又は前記第３のサブバンドを低下させるように光学的に配置されても良い。このことは、光を放出する導光体上の拡散塗料により達成され得る。このとき、ミラー層が、光を導光体内に保つ。
【００１６】
基本的に、該導光体は、Ｂ２７０、Duran又はＡＲガラスのようなガラスから作成されても良い。典型的には、前記第１のサブバンドはこのとき赤色の光（約６２５乃至７４０ｎｍ）を有し、前記第２の及び第３のサブバンドは緑色（約５００乃至５６５ｎｍ）及び青色（４４０乃至４８５ｎｍ）の光を有し得る。しばしば、一般に利用されるガラスは、ガラス中の鉄の痕跡又は不純物のために、赤色の周囲で吸収を呈する。
【００１７】
第２の態様においては、本発明は、前記第１の態様による補償型導光体と、第１のスペクトル分布の可視光を発することが可能な光源と、を有する、補償型照明システムに関する。
【００１８】
一実施例においては、前記第１及び第２の伝送領域は更に、前記第１のスペクトル分布の第１のサブバンドを相対的に低下させるように光学的に配置され、前記第１の伝送領域と前記第２の伝送領域との間の相対的な低下が、前記導光体における吸収の差を、少なくとも色に関して、心理視覚的に補償するように均衡したものとされても良い。加えて、前記光源は、前記第１のスペクトル分布の前記第１のサブバンドの強度を増大させることにより、前記導光体における吸収の差を少なくとも部分的に補償するように構成されても良い。前記光源は、ことによるとそれぞれが別個の色を持つ、１つ以上の発光ダイオード（ＬＥＤ）を有しても良い。原則として、白熱灯、冷陰極蛍光照明（ＣＣＦＬ）、ＴＬ管等のような、全ての種類の光源が利用されることができる。有利にも、本照明システムは、Ambilightディスプレイシステム又は同様のシステムのような表示又はテレビジョンシステムの少なくとも一部の周囲に配置されても良い。
【００１９】
第３の態様においては、本発明は、導光体における吸収の差を補償するための方法であって、前記導光体は、光源から発せられた可視光を導き、略均一な色を発するように構成され、前記光源は、第１のスペクトル分布の可視光を発することが可能であり、前記導光体は、可視光に対して略色に依存した吸収を持ち、前記方法は、
第１の光路に沿って前記導光体から光が送出される、第１の伝送領域に光を導くステップと、
第２の光路に沿って前記導光体から光が送出される、第２の伝送領域に光を導くステップと、
を有し、前記第２の光路に沿って導かれる光は、前記第１の光路に沿って導かれる光に比べて、少なくとも前記第１のスペクトル分布の第１のサブバンドにおいて、大きな吸収を持ち、前記第１の光路と前記第２の光路との間の吸収の差に帰着し、前記方法は更に、
前記第１のスペクトル分布の第２のサブバンドを相対的に低下させることにより光を伝送し、前記第１の伝送領域と前記第２の伝送領域との間の相対的な低下が、前記導光体における吸収の差を、少なくとも色に関して、心理視覚的に補償するように均衡したものとなるように、前記第１及び第２の伝送領域を光学的に配置するステップを有する方法に関する。
【００２０】
本発明の第１、第２及び第３の態様はそれぞれ、他のいずれかの態様と組み合わせられても良い。本発明のこれら及び他の態様は、以下に記載される実施例を参照しながら説明され明らかとなるであろう。
【図面の簡単な説明】
【００２１】
【図１】本発明による導光体及び光源の模式的な図である。
【図２】光源からの第１のスペクトル分布の模式的なグラフである。
【図３】２つの異なる光路の末端における吸収及び結果の光の模式的なグラフである。
【図４】本発明による、第１及び第２の遷移領域の２つの異なる遷移特性、及び光源から発せられる結果の光の、模式的なグラフである。
【図５】複数の遷移領域を持つ導光体の模式的な図である。
【図６（ａ）】複数の遷移領域を提供するためのパターンの模式的な図を示す。
【図６（ｂ）】複数の遷移領域を提供するためのパターンの模式的な図を示す。
【図６（ｃ）】複数の遷移領域を提供するためのパターンの模式的な図を示す。
【図６（ｄ）】複数の遷移領域を提供するためのパターンの模式的な図を示す。
【図７（ａ）】複数の遷移領域を提供するためのパターンの模式的な図を示す。
【図７（ｂ）】複数の遷移領域を提供するためのパターンの模式的な図を示す。
【図８】本発明による方法のフロー図である。
【発明を実施するための形態】
【００２２】
本発明は、添付図面を参照しながら、単に例として、以下に説明される。
【００２３】
図１は、本発明による導光体１０及び光源１００の模式的な図であり、光源１００は、第１のスペクトル分布（以下の図２を参照）の可視光２０を発することが可能である。導光体１０は、可視光に対して略色に依存した吸収を持ち、即ち該導光体を通り伝送される光は拡散を受ける。
【００２４】
導光体１０は、光源１００から第１の光路１ＯＰに沿って導かれた光２０が導光体１０の外へと送出される第１の伝送領域１ＴＲと、光源１００から第２の光路２ＯＰに沿って導かれた光２０が導光体１０の外へと送出される第２の伝送領域２ＴＲと、を有する。図１に示されるように、第２の光路２ＯＰに沿って導かれる光は、長い距離のために、第１の光路１ＯＰに沿って導かれる光に比べて、少なくとも第１のスペクトル分布の第１のサブバンドにおいて、大きな吸収を持つ。このことは、第１の光路と第２の光路との間の吸収の差に帰着する。従って、該導光体が赤色をより多く吸収する場合には、第２の経路２ＯＰの末端において赤色が少なくなる。
【００２５】
第１の伝送領域１ＴＲ及び第２の伝送領域２ＴＲは、第１のスペクトル分布の第２のサブバンドを相対的に低下させ、第１の伝送領域１ＴＲと第２の伝送領域２ＴＲとの間の相対的な低下が、導光体１０における吸収の差を、少なくとも色に対して、心理視覚的に補償するように均衡したものとなるように、それぞれ光Ｔ１及びＴ２を伝送するように光学的に配置される。
【００２６】
図２は、光源１００からの第１のスペクトル分布２０の模式的なグラフであり、水平軸に光の波長をナノメートル（ｎｍ）で、垂直軸に相対強度を示している。図２の連続的なスペクトル分布は代表的なスペクトル分布ではなく、単に本発明を簡単に説明するための例示的な分布を与えるために提供されるものである。しかしながら、本発明の教示は、他の光のスペクトル分布に容易に拡張されることができる。可視光は、４００乃至７００ｎｍ、代替としては３５０乃至７５０ｎｍ、又は更なる代替としては３００乃至８００ｎｍの間隔内における電磁放射として定義され得る。
【００２７】
図３は、それぞれ２つの異なる光路１ＯＰ及び２ＯＰの末端における、光が受ける吸収ＡＢＳ１及びＡＢＳ２、その結果の光２１及び２２の、図２に類似した模式的なグラフである。比較のため、導光体１０に入射する光２０の第１のスペクトル分布も、点線で示されている。より短い光路１ＯＰは、より大きな吸収ＡＢＳ２が存在するより長い光路２ＯＰに比べて、比較的小さな吸収ＡＢＳ１を持つ。本グラフの縦のスケールは相対的な透過（即ち強度）を％で示し、相対的な透過が最小となるときに吸収が最大となることを意味していることに留意されたい。この吸収の差の結果として、第１の光路１ＯＰの末端における光２１は、光２０に比べて僅かな減衰を持ち、第２の光路２ＯＰの末端における光２２は、より大きな減衰を持つこととなる。光２１と２２との非常に異なるスペクトル形状のため、それぞれ第１の伝送領域１ＴＲ及び第２の伝送領域２ＴＲから発せられる光Ｔ１及びＴ２は、本発明により補償されない場合には、互いとは異なる色を持つものとして知覚され得る。
【００２８】
図４は、それぞれ第１の伝送領域１ＴＲ及び第２の伝送領域２ＴＲの２つの異なる遷移特性ＴＣ１及びＴＣ２、及び本発明による導光体１０から発せられた結果の光Ｔ１及びＴ２（図１を参照）の、模式的なグラフである。図４に示されるように、２つの遷移領域に到達する光の部分２１及び２２（図３を参照）は、異なる遷移特性ＴＣ１及びＴＣ２を受け、その結果、光の部分Ｔ１及びＴ２が導光体１０から射出される。光の部分Ｔ１及びＴ２は、図４のグラフにおいて示されるように、導光体へと発せられる光２０と同じ相対スペクトル分布を持つ。従って、外部の観測者２００（図１）により見られる知覚される色は同じとなるが、吸収の差の結果として、明るさの低下は１ＴＲと２ＴＲとで異なることとなる。Ｔ１及びＴ２の強度は互いと異なり、元の光２０よりも低いことは、留意されるべきである。
【００２９】
図３と図４とを比較すると、遷移特性ＴＣ１及びＴＣ２は、吸収ＡＢＳ１及びＡＢＳ２が最大（即ち、図３の相対伝送／強度グラフにおける最小値）となる位置において、同様に最大値を持つことが分かる。
【００３０】
相対的な低下が生じる、第１のスペクトル分布２０のサブバンドに関しては、第１のサブバンドが、約６３０ｎｍ（即ち、ＡＢＳ１及びＡＢＳ２曲線の最小値）に中心を持ち、第２及び第３のサブバンドが、該中心より低く及び高く位置するとみなされ、本実施例の導光体１０の吸収及び伝送特性に鋭い遷移が存在しないために、第２及び第３のサブバンドが、第１のサブバンドとオーバラップするものとみなされ得ることは、留意されるべきである。
【００３１】
本発明の変形例においては、２つの異なる遷移又は放出特性ＴＣ１及びＴＣ２は、発せられる光Ｔ１及びＴ２の強度が略等しくとなるように、好適には観測者２００によって知覚されるものと同一となるように、構成されても良い。
【００３２】
本発明の他の変形例においては、２つの異なる遷移又は放出特性ＴＣ１及びＴＣ２は、発せられる光Ｔ１及びＴ２の知覚される色が略等しくなるが、導光体１０へと発せられる光２０の知覚される色とは異なるように、構成されても良い。
【００３３】
本発明の更に他の変形例においては、導光物質と光源との幾つかの組み合わせについては、ＴＣ２のみが本発明により実装され、従ってＴＣ１は一定であるが、遷移領域１ＴＲ及び２ＴＲが依然として、組み合わせて、吸収が最大となる第１のサブバンドとは異なる第２のサブバンドの相対的な低下を実行するものとみなされ得ることも可能であり得る。
【００３４】
図５は、それぞれの遷移領域ｉＴＲが対応する光路ｉＯＰを持つ、複数の領域を持つ導光体１０の模式的な図である。従って、第１の伝送領域１ＴＲ及び第２の伝送領域２ＴＲは単に、複数の伝送領域のサブセットである。複数の伝送領域は、第２のサブバンド及びことによると第３のサブバンドの段階的な相対低下を提供し、該段階的な相対低下は、導光体１０の各伝送領域ｉＴＲに対するそれぞれの光路ｉＯＰと均衡している。このことは基本的に、光源に対する長さが略導光体に沿った距離である、１次元の導光体について実装され得るが、２次元画面又は３次元オブジェクトに対しても実装され得る。
【００３５】
加えて、本発明の教示は、１つの光源１００のみが導光体１０に接続された用途に限られるものではない。本教示は、複数の光源が導光体に接続された、例えば各光源が別個の色を持つような用途に対しても、容易に拡張されることができる。
【００３６】
図６及び７は、色を持つ色素を用いた、本発明による段階的な相対低下を伴う、複数の遷移領域を提供するためのパターンの、模式的な図を有する。
【００３７】
図６ａにおいては、ドットの範囲のサイズが増大し、それにより段階的な低下を提供する。図６ｂにおいては、一連の等間隔の線が増大する幅を持ち、それにより段階的な低下を提供する。
【００３８】
図６ｃは、線の長さに沿って増大する幅を持つ線を示す。図６ｄは同様に、面積当たりのドット密度に対する漸進的な充填効果が線の長さに沿って増大する線を示す。斯かる効果はとりわけ、導光体１０の遷移領域ＴＲの色付けにおいてインクジェット技術を利用することにより提供されても良い。
【００３９】
図７ａは同様に、左から右へと増大する面積毎のドット密度を持つ、段階的な相対低下を提供することが可能な色ドットパターンを示す。図７ｂは、線間の距離が減少するパターンで等幅の線が配置され、該パターンが本発明による段階的な相対低下を提供することが可能な、他の変形例を示す。
【００４０】
図８は、導光体１０における吸収の差を補償するための方法であって、前記導光体は、光源１００から発せられる可視光を導き且つ略均一な色を発するように構成され、該光源は、第１のスペクトル分布の可視光２０を発することが可能であり、該導光体は、可視光に対して略色に依存した吸収を持ち、前記方法は、
【００４１】
第１の光路１ＯＰに沿って前記導光体から光が送出される、第１の伝送領域１ＴＲへと光を導くステップＳ１と、
【００４２】
第２の光路２ＯＰに沿って前記導光体から光が送出される、第２の伝送領域２ＴＲへと光を導くステップＳ２と、
を有し、前記第２の光路に沿って導かれる光は、前記第１の光路に沿って導かれる光に比べて、少なくとも前記第１のスペクトル分布の第１のサブバンドにおいて、大きな吸収を持ち、前記第１の光路と前記第２の光路との間の吸収の差に帰着し、前記方法は更に、
【００４３】
前記第１のスペクトル分布の第２のサブバンドを相対的に低下させることにより光を伝送し、前記第１の伝送領域と前記第２の伝送領域との間の相対的な低下が、前記導光体における吸収の差を、少なくとも色に関して、心理視覚的に補償するように均衡したものとなるように、前記第１及び第２の伝送領域を光学的に配置するステップＳ３と、
を有する方法のフロー図である。
【００４４】
本発明は特定の実施例に関連して説明されたが、ここに示された特定の形態に限定されることを意図したものではない。本発明の範囲は、添付する請求項によってのみ限定される。請求項において、「有する（comprising）」なる語は、他の要素又はステップの存在を除外するものではない。加えて、個々の特徴は別の請求項に含められ得るが、これらはことによると有利に組み合わせられても良く、別の請求項に含まれていることは、特徴の組み合わせが利用可能でない及び／又は有利ではないことを示すものではない。加えて、単数の参照は複数を除外するものではない。従って、「１つの（a又はan）」、「第１の（first）」、「第２の（second）」等への参照は、複数を除外するものではない。更に、請求項における参照記号は、請求の範囲を限定するものとして解釈されるべきではない。
【図１】
2010511987.tif 000003
【図２】
2010511987.tif 000004
【図３】
2010511987.tif 000005
【図４】
2010511987.tif 000006
【図５】
2010511987.tif 000007
【図６ａ】
2010511987.tif 000008
【図６ｂ】
2010511987.tif 000009
【図６ｃ】
2010511987.tif 000010
【図６ｄ】
2010511987.tif 000011
【図７ａ】
2010511987.tif 000012
【図７ｂ】
2010511987.tif 000013
【図８】
2010511987.tif 000014
【国際調査報告】
2010511987.tif 000015
2010511987.tif 000016